(57)【要約】【課題】  指を詰める危険がなく、コストアップにならず、また、景観も良好なドア構造を提供する。【解決手段】  板状のドア本体１１と、ドア本体１１を蝶番１２を介して回動可能に固定する垂直枠部材１３とを有し、しかも、蝶番１２の回動中心Ｏはドア本体１１の一側角部にあって、ドア本体１１を閉じた場合に、蝶番１２が取付けられた側のドア本体１１の端面１４に向かい合うドア対峙位置Ｘにあるドア対峙板１５を垂直枠部材１３に備えるドア構造１０であって、ドア対峙板１５の回動中心を蝶番１２の回動中心Ｏ又はその近傍に設けてドア対峙板１５を回動可能にすると共に、ドア対峙板１５をドア対峙位置Ｘに付勢する弾性部材１６を設けて、ドア本体１１の端面１４とドア対峙板１５との間での指詰めを防止している。【選択図】        図１
2006299637.tif 000002
【特許請求の範囲】
【請求項１】
板状のドア本体と、該ドア本体を蝶番を介して回動可能に固定する垂直枠部材とを有し、しかも、前記蝶番の回動中心は前記ドア本体の一側角部にあって、前記ドア本体を閉じた場合に、前記蝶番が取付けられた側の前記ドア本体の端面に向かい合うドア対峙位置にあるドア対峙板を前記垂直枠部材に備えるドア構造であって、
前記ドア対峙板の回動中心を前記蝶番の回動中心又はその近傍に設けて前記ドア対峙板を回動可能にすると共に、前記ドア対峙板をドア対峙位置に付勢する弾性部材を設けて、前記ドア本体の端面と前記ドア対峙板との間での指詰めを防止したことを特徴とするドア構造。
【請求項２】
請求項１記載のドア構造において、前記蝶番の一側片は前記ドア本体の端面に取付けられ、前記蝶番の他側片は前記垂直枠部材の内部を貫通して前記垂直枠部材及び該垂直枠部材を固定する柱のいずれか一方又は双方に固定されていることを特徴とするドア構造。
【請求項３】
請求項１及び２のいずれか１項に記載のドア構造において、前記ドア対峙板は磁性を有し、付勢された該ドア対峙板の移動を阻止するストッパーは磁性を有するゴム材からなることを特徴とするドア構造。
【発明の詳細な説明】
【技術分野】
【０００１】
本発明は、ドアの閉時にドア本体の端面とドア枠との間に指を詰めるのを防止するためのドア構造に関する。
【背景技術】
【０００２】
従来、例えば、風等でドア本体が閉じる時に、ドア本体の端面とドア枠の垂直枠部材との間に指を詰めるのを防止するためのドア構造の一例として、ドア本体とドア枠との間に形成された空隙にスポンジ等の緩衝材を介在させ、例え、指が挟まれても、緩衝材が窪むことにより、指が損傷されることを防止するものが知られている。（例えば、特許文献１参照）。
また、ドア本体を開くと同時にゴムロールからなる突部を突出させておき、ドア本体を閉める時に、ドア本体とドア枠との間に突部を一時的に挟み、突部を徐々に後退させてドア本体をゆっくりと閉じるようにした形態のものが知られている（例えば、特許文献２参照）。
【０００３】
【特許文献１】特開２００４−３１６４０９号公報
【特許文献２】特開２００２−１８８３５６号公報
【発明の開示】
【発明が解決しようとする課題】
【０００４】
しかしながら、前記特許文献１及び特許文献２に記載のものにおいては、未だ解決すべき以下のような問題があった。
特許文献１では、ドア本体及び／又はドア枠に緩衝材を介在させるための欠落部を形成する必要があり、また、緩衝材の特性によって、欠落部の大きさが影響を受けるため、市販品のドア本体及びドア枠を使用することが難しく、特別に製作するためにコストアップの要因となっていた。また、緩衝材が見えるため景観が悪かった。
また、特許文献２では、ドア本体がゆっくり閉じるが、挟まれそうになった指をドア本体が閉じる間に取り去らない場合には、詰めることになり危険であった。また、ドア本体が閉じるのに少しの時間を要するので、急いでいる場合には、閉まるのを待つのがもどかしかった。
【０００５】
本発明はかかる事情に鑑みてなされたもので、指を詰める危険がなく、コストアップにならず、また、景観も良好なドア構造を提供することを目的とする。
【課題を解決するための手段】
【０００６】
前記目的に沿う本発明に係るドア構造は、板状のドア本体と、該ドア本体を蝶番を介して回動可能に固定する垂直枠部材とを有し、しかも、前記蝶番の回動中心は前記ドア本体の一側角部にあって、前記ドア本体を閉じた場合に、前記蝶番が取付けられた側の前記ドア本体の端面に向かい合うドア対峙位置にあるドア対峙板を前記垂直枠部材に備えるドア構造であって、前記ドア対峙板の回動中心を前記蝶番の回動中心又はその近傍に設けて前記ドア対峙板を回動可能にすると共に、前記ドア対峙板をドア対峙位置に付勢する弾性部材を設けて、前記ドア本体の端面と前記ドア対峙板との間での指詰めを防止している。
【０００７】
本発明に係るドア構造において、前記蝶番の一側片は前記ドア本体の端面に取付けられ、前記蝶番の他側片は前記垂直枠部材の内部を貫通して前記垂直枠部材及び該垂直枠部材を固定する柱のいずれか一方又は双方に固定されてもよい。
【０００８】
本発明に係るドア構造において、前記ドア対峙板は磁性を有し、付勢された該ドア対峙板の移動を阻止するストッパーは磁性を有するゴム材からなってもよい。
【発明の効果】
【０００９】
請求項１〜３記載のドア構造においては、ドア本体を、回動中心がドア本体の一側角部にある蝶番を介して回動し、ドア対峙板の回動中心を蝶番の回動中心又はその近傍に設けて回動可能にすると共に、ドア対峙板をドア対峙位置に付勢する弾性部材を設けているので、たとえ、ドア本体を閉める際に、蝶番とドア対峙板との間に指を挟んでも、ドア対峙板の回動により、ドア本体が閉じた位置で蝶番とドア対峙板との間で指を詰めることがなく、指の損傷を防止することができる。
【００１０】
特に、請求項２記載のドア構造においては、蝶番の一側片はドア本体の端面に取付けられ、蝶番の他側片は垂直枠部材の内部を貫通して垂直枠部材及び垂直枠部材を固定する柱のいずれか一方又は双方に固定されているので、蝶番の他側片の剛性を高く設定でき、これによりドア本体を垂直枠部材及び／又は柱に強固に固定することができる。
【００１１】
請求項３記載のドア構造においては、ドア対峙板は磁性を有し、付勢されたドア対峙板の移動を阻止するストッパーは磁性を有するゴム材からなっているので、ドア対峙板をストッパーに、衝撃を吸収して確実に当接させ、しかも、ドア対峙板がストッパーに当接した状態を保持することができる。
【発明を実施するための最良の形態】
【００１２】
続いて、添付した図面を参照しつつ、本発明を具体化した実施の形態につき説明し、本発明の理解に供する。
ここで、図１は本発明の一実施の形態に係るドア構造のドア本体閉時の平面図、図２は同ドア構造の蝶番の平面図、図３は同ドア構造の蝶番の側面図、図４は同ドア構造の変形例の蝶番の平面図である。
【００１３】
図１及び図２に示すように、本発明の一実施の形態に係るドア構造１０は、板状のドア本体１１と、ドア本体１１を蝶番１２を介して回動可能に固定する垂直枠部材１３とを有し、しかも、蝶番１２の回動中心Ｏはドア本体１１の一側角部（図１では前側の左角部）にあって、ドア本体１１を閉じた場合に、蝶番１２が取付けられた側（図１では左側）のドア本体１１の端面１４に向かい合うドア対峙位置Ｘにあるドア対峙板１５を垂直枠部材１３に備えるドア構造である。
【００１４】
ドア構造１０は、ドア対峙板１５の回動中心を蝶番１２の回動中心Ｏの近傍（図１では左側後方）に設けてドア対峙板１５を回動可能にすると共に、ドア対峙板１５をドア対峙位置Ｘに付勢する弾性部材の一例であるコイルバネ１６を設けて、ドア本体１１の端面１４とドア対峙板１５との間での指詰めを防止するようになっている。以下、これらについて詳細に説明する。
【００１５】
図１に示すように、ドア構造１０は、上下に配置された図示しない対となる水平枠部及び該水平枠部の両端をそれぞれ連結する対となる垂直枠部材１３、１７を有するドア枠１８を備えており、垂直枠部材１３、１７は、断面矩形で木製の柱１９、２０にそれぞれ、高さ方向に間隔をあけて配置された複数のビス２１〜２３、２４〜２６を介して取付けられている。
【００１６】
図１に示すように、アルミ製の一体構造で形成された垂直枠部材１３は、柱１９の前側面２７に当接する主ベース板２８と、主ベース板２８のドア本体１１側端部に主ベース板２８に直交して後向きに設けられ、柱１９の側面２９に当接する補助ベース板３０と、主ベース板２８の前側面３１に直交して平行間隔をあけて立設された対となる側板３２、３３と、側板３２、３３の前端部を連結すると共に側板３３よりドア本体１１側に突出して設けられた対峙板取付板３４とを有している。垂直枠部材１３はボックス構造となっているので、高い剛性を有している。なお、対峙板取付板３４の側板３３との接続部近傍（ドア本体１１側）には上下方向に沿って、貫通孔３７が形成されている。
【００１７】
一側片３５がドア本体１１の端面１４に取付けられた蝶番１２の他側片３６は、回動中心Ｏが基側に設けられ、垂直枠部材１３の対峙板取付板３４の前側に僅少の隙間をあけて設けられた取付板４１と、取付板４１の先端部に接続され、取付板４１に直交し、対峙板取付板３４の貫通孔３７を貫通し、垂直枠部材１３の側板３３のドア本体１１側の側面３８に当接して設けられた主当接板３９と、主当接板３９の後端部のドア本体１１側に主当接板３９に直交して設けられた補助当接板４０とを有している。
【００１８】
蝶番１２の他側片３６の補助当接板４０は、垂直枠部材１３の主ベース板２８と共に柱１９にビス２２を介して固定されており、主当接板３９は垂直枠部材１３の側板３３に、雌ねじが形成されて側板３３の左側面（裏面）４２に取付けられた座金４３及び複数のビス４４を介して固定されている。かかる構成によって、蝶番１２を柱１９及び垂直枠部材１３に強固に固定することができる。
【００１９】
図２及び図３に、蝶番１２の一側片３５と他側片３６との連結構造を示す。
他側片３６の取付板４１の基端部には、上下方向に間隔をあけて円筒状の軸受部４５〜４７が一体的に設けられ、連結部を形成している。一方、一側片３５の回動中心Ｏ側端部にも、上下方向に間隔をあけて円筒状の軸受部４８〜５０が一体的に設けられ、連結部を形成している。軸受部４５と軸受部４８、軸受部４６と軸受部４９、軸受部４７と軸受部５０にそれぞれ、頭付きのピン５１〜５３が挿入されている。かかる構成によって、一側片３５に端面１４が複数のビス１１ａを介して取付けられたドア本体１１は、蝶番１２の回動中心Ｏ廻りに反時計方向に回動して開くことができる。
【００２０】
ドア本体１１の右端部（開放側端部又はドアノブ取付側端部）の前側には、垂直枠部材１７の前端に当接するストッパー部５４が形成されている。
アルミ製の一体構造で形成された垂直枠部材１７は、垂直枠部材１３に対向して設けられており、柱２０の前側面５５に当接する主ベース板５６と、主ベース板５６のドア本体１１側端部の後側に主ベース板５６に直交して設けられた補助ベース板５７と、主ベース板５６の前側面５８に直交して左右方向に平行間隔をあけて立設された対となる側板５９、６０と、側板５９、６０の前端部を連結すると共に側板５９よりドア本体１１側に突出して設けられ、ドア本体１１のストッパー部５４が当接するストッパー板６１とを有している。
【００２１】
垂直枠部材１７は垂直枠部材１３と同様、ボックス構造となっているので、高い剛性を有している。
ドア本体１１のストッパー部５４の後面側が垂直枠部材１７のストッパー板６１の前面６２に当接した位置でドア本体１１は閉じた状態となる。なお、垂直枠部材１７には、図示しない鍵受けが設けられている。また、ドア本体１１が閉じる時の衝撃に耐えるように、垂直枠部材１７に、必要に応じて、補強材を設けることができる。
【００２２】
図１に示すように、垂直枠部材１３の対峙板取付板３４の先端部（ドア本体１１側端部）には、蝶番６３を介して回動する矩形状のドア対峙板１５が取付けられている。
磁性を有するドア対峙板１５はドア対峙位置Ｘにて、ドア本体１１の後方位置に配置されたストッパー６４に当接している。ストッパー６４は、柱１９の側面２９に固定された取付ブラケット６５の先端に設けられた取付板６６の先端部の柱１９側に取付けられている。また、ストッパー６４は磁性を有するゴム材から構成されている。かかる構成によって、コイルバネ１６で付勢されたドア対峙板１５をストッパー６４に、衝撃を吸収して確実に当接させ、ドア対峙板１５の移動を阻止することができる。
【００２３】
ドア対峙板１５には、ドア本体１１の内側面（図１では後側面）６７の幅方向一端部（ドア対峙板１５側端部）に当接するゴムからなる目隠し部材６８が設けられている。目隠し部材６８は、ドア対峙板１５の裏面６９に固定され、中央部にテーパー孔が形成された外形が矩形状の固定用片７０と、固定用片７０にねじ締結される押え板７１とによりドア対峙板１５を貫通して固定されている。
【００２４】
一方、ドア本体１１の内側面６７の幅方向他端部に当接するゴムからなる目隠し部材７２が垂直枠部材１７に設けられている。垂直枠部材１７の補助ベース板５７の前端には、中央部にテーパー孔が形成された外形が矩形状の固定用片７３が設けられており、後ろ側が固定用片７３を貫通して設けられた目隠し部材７２は、固定用片７３にねじ締結される押え板７４により固定されている。
【００２５】
ドア対峙板１５の裏面６９の固定用片７０の後方にはバネ取付座７５が設けられており、バネ取付座７５とバネ取付座７５に対向して設けられた垂直枠部材１３の補助ベース板３０との間には、コイルバネ１６が上下方向に間隔をあけて複数個（本実施の形態では、４個）取付けられている。かかる構成によって、ドア対峙板１５はコイルバネ１６によりドア対峙位置Ｘに常時付勢されてストッパー６４に当接するようになっている。
【００２６】
従って、ドア本体１１を閉じる際、誤って指Ｆ（図１で２点鎖線で示す）を蝶番１２の一側片３５とドア対峙板１５との間に挟んでいたとしても、指Ｆを介してコイルバネ１６の小さい付勢力に抗してドア対峙板１５を、蝶番６３を介して時計廻りに二点鎖線で示す退避位置Ｙ、即ち、ドア対峙板１５の先端部が柱１９の側面２９に当接する位置まで回動することができるので、指Ｆを詰めることを防止することができる。
【００２７】
次に、本発明の一実施の形態に係るドア構造１０の使用方法及び作用について、図１を参照しながら説明する。
図１に示すドア本体１１が閉じた位置にある状態では、ドア本体１１のストッパー部５４の後面側が垂直枠部材１７のストッパー板６１の前面６２に当接しており、コイルバネ１６によりドア対峙位置Ｘに付勢されたドア対峙板１５の先端部は、ストッパー６４に当接している。また、ドア対峙板１５に取付けられた目隠し部材６８及び垂直枠部材１７に取付けられた目隠し部材７２がそれぞれ、ドア本体１１の内側面６７の幅方向両端部に当接している。
【００２８】
このドア本体１１が閉じた状態から、家の人がドア本体１１に設けられたドアノブ（図示せず）を持って、ドア本体１５を開け、例えば、客を家の中に入れる。
その後、ドア本体１１を閉める際、誤って指Ｆを蝶番１２の一側片３５とドア対峙板１５との間に挟んだとしても、ドア本体１５の閉めの程度に応じて、コイルバネ１６の小さい付勢力に抗して、指Ｆを介してドア対峙板１５を退避位置Ｙの方向に回動することができる。従って、指Ｆが回動したドア対峙板１５と蝶番１２の一側片３５との間にあるので、指Ｆが損傷するのを防止することができる。
【００２９】
図４に示す、蝶番１２の変形例である蝶番８０は、ドア本体８１の端面８２に取付けられる一側片８３と、一側片８３に回動中心Ｔ廻りに回動可能に連結され、垂直枠部材１３及び柱１９（図１参照）に固定される他側片８４とを備えている。蝶番８０の一側片８３及び他側片８４は共に、厚さｔ（例えば、０．５〜３ｍｍ）の板材を曲げ加工して形成されている。
蝶番８０の他側片８４は、垂直枠部材１３の内部を貫通して垂直枠部材１３及び柱１９に固定される支持部８５と、支持部８５の基端部に接続し、外側半径Ｒ、内側半径（Ｒ−ｔ）で中心角α（１００〜１１０°、本実施の形態では、１１５°）を有する円弧部８６とを備えている。
【００３０】
一方、蝶番８０の一側片８３は、ドア本体８１の端面８２に取付けられる板状の取付部８７と、取付部８７の基端部に取付部８７に直交して設けられ、ドア本体８１の閉じた位置で他側片８４の支持部８５の後面８８に当接する支持部８９と、支持部８９の基端部に接続され、外側半径（Ｒ−ｔ）、内側半径（Ｒ−２ｔ）で中心角β（２８０〜３００°、本実施の形態では、２９０°）を有する円弧部９０とを備えている。
【００３１】
ここで、他側片８４の円弧部８６の中心角αは一側片８３の円弧部９０が掛合可能な角度（９０°以上）になっており、一側片８３の円弧部９０の中心角βは一側片８３の最大回動角度を可能とする角度に設定されている。
かかる構成によって、蝶番８０の一側片８３は他側片８４に対して回動中心Ｔ廻りに回動角度γ（本実施の形態では約９２°）回動することができる。
【００３２】
本発明は前記した実施の形態に限定されるものではなく、本発明の要旨を変更しない範囲での変更は可能であり、例えば、前記したそれぞれの実施の形態や変形例の一部又は全部を組み合わせて本発明のドア構造を構成する場合も本発明の権利範囲に含まれる。
本実施の形態では、目隠し部材６８、７２を設けたが、これに限定されず、必要に応じて、目隠し部材を省略することもできる。
ドア対峙板１５は磁性を有し、ストッパー６４は磁性を有するゴム材としたが、これに限定されず、必要に応じて、その他の構造のストッパーを設けることもできる。
【００３３】
対峙板取付板３４には蝶番１２の他側片３６が貫通する貫通孔３７を一ヶ所形成したが、これに限定されず、必要に応じて、貫通孔を複数箇所形成し、これらの貫通孔に合わせて、蝶番の他側片の主当接板及び補助当接板を形成することもできる。
ドア対峙板１５の上下方向の長さは略ドア枠の高さと同じにしたが、これに限定されず、使用する目的及び状況に応じて、ドア対峙板の上下方向の長さを適宜決定することができる。
【００３４】
垂直枠部材１３、１７及び蝶番１２の他側片３６はそれぞれ一体構造で形成したが、これに限定されず、必要に応じて、板材を接合して形成することもできる。
蝶番１２の近傍に設けた蝶番６３を介してドア対峙板１５を回動したが、これに限定されず、必要に応じて、蝶番１２の回動中心廻りにドア対峙板を回動することもできる。
蝶番１２の他側片３６は垂直枠部材１３及び柱１９に固定したが、これに限定されず、必要に応じて、いずれか一方に固定することもできる。
【図面の簡単な説明】
【００３５】
【図１】本発明の一実施の形態に係るドア構造のドア本体閉時の平面図である。
【図２】同ドア構造の蝶番の平面図である。
【図３】同ドア構造の蝶番の側面図である。
【図４】同ドア構造の変形例の蝶番の平面図である。
【符号の説明】
【００３６】
１０：ドア構造、１１：ドア本体、１１ａ：ビス、１２：蝶番、１３：垂直枠部材、１４：端面、１５：ドア対峙板、１６：コイルバネ（弾性部材）、１７：垂直枠部材、１８：ドア枠、１９、２０：柱、２１〜２６：ビス、２７：前側面、２８：主ベース板、２９：側面、３０：補助ベース板、３１：前側面、３２、３３：側板、３４：対峙板取付板、３５：一側片、３６：他側片、３７：貫通孔、３８：側面、３９：主当接板、４０：補助当接板、４１：取付板、４２：左側面、４３：座金、４４：ビス、４５〜４７：軸受部、４８〜５０：軸受部、５１〜５３：ピン、５４：ストッパー部、５５：前側面、５６：主ベース板、５７：補助ベース板、５８：前側面、５９、６０：側板、６１：ストッパー板、６２：前面、６３：蝶番、６４：ストッパー、６５：取付ブラケット、６６：取付板、６７：内側面、６８：目隠し部材、６９：裏面、７０：固定用片、７１：押え板、７２：目隠し部材、７３：固定用片、７４：押え板、７５：バネ取付座、８０：蝶番、８１：ドア本体、８２：端面、８３：一側片、８４：他側片、８５：支持部、８６：円弧部、８７：取付部、８８：後面、８９：支持部、９０：円弧部
【図１】
2006299637.tif 000003
【図２】
2006299637.tif 000004
【図３】
2006299637.tif 000005
【図４】
2006299637.tif 000006